(57)【要約】【課題】放送素材データの再生不可能時に、代替素材データの素材長が、本来再生する予定の放送素材データの再生長より短い場合でも、黒画面情報の送出を防止し得る放送素材サーバ装置を提供する。【解決手段】記憶装置１３Ａに記憶された放送素材データ中に指定された放送素材データが存在しなかったり、または放送素材データが読み出せない状況にあった場合に、制御ＣＰＵ１１において、記憶装置１３Ａに記憶された代替素材データをデコーダ１４Ａに入力するとともに、記憶装置１３Ａに記憶されている放送素材データの再生長と、記憶装置１３Ａに記憶されている代替素材データの素材長とを比較し、この比較結果から代替素材データの素材長が放送素材データの再生長に満たない場合に、放送素材データの再生長となるまで記憶装置１３Ａから代替素材データを繰り返し読み出してデコーダ１４Ａに入力するようにしている。【選択図】      図１
2007281681.tif 000002
【特許請求の範囲】
【請求項１】
放送素材信号を圧縮符号化した放送素材データを記憶すると共に、前記放送素材データの代替素材データを記憶する記録媒体を備え、前記記録媒体から前記放送素材データが読み出し不能である場合に、前記記録媒体から代替素材データを読み出して復号処理し前記放送素材信号として送出する放送素材サーバ装置において、
前記記録媒体からの前記放送素材データの読み出し不能時に、前記記録媒体に記録されている前記放送素材データのデータ長と、前記記録媒体に記録されている代替素材データのデータ長とを比較する比較手段と、
この比較手段の比較結果から前記代替素材データのデータ長が前記放送素材データのデータ長に満たない場合に、前記放送素材データのデータ長となるまで前記記録媒体から前記代替素材データを繰り返し読み出して前記放送素材信号に復号処理する復号処理手段とを具備したことを特徴とする放送素材サーバ装置。
【請求項２】
前記復号処理手段は、
前記記録媒体から読み出した代替素材データを第１及び第２の系統に分配する分配器と、
前記第１の系統に設けられる第１の復号器及び前記第２の系統に設けられる第２の復号器と、
前記第１及び第２の復号器の各復号出力を選択的に導出する出力切替器と、
前記第１の復号器から前記放送素材信号の素材終端部分が出力される所定時間前に、前記第２の復号器の復号出力を選択するように前記出力切替器を切替制御する切替制御器とを備えたことを特徴とする請求項１記載の放送素材サーバ装置。
【請求項３】
前記復号処理手段は、
復号器と、
前記記録媒体から代替素材データを読み出し、読出中に前記代替素材データの素材終端部分に来た場合に、この終端部分と連続するように前記記録媒体中の代替素材データの素材先頭部分を続けて前記復号器に出力する読み出し制御器とを備えたことを特徴とする請求項１記載の放送素材サーバ装置。
【請求項４】
前記記録媒体は、互いに異なる複数の代替素材データを記録し、
前記復号処理手段は、前記放送素材データのデータ長となるまで前記記録媒体から前記複数の代替素材データを交互に繰り返し読み出して前記放送素材信号に復号処理することを特徴とする請求項１記載の放送素材サーバ装置。
【発明の詳細な説明】
【技術分野】
【０００１】
この発明は、例えば放送局内において、ハードディスク装置等の記憶装置に記憶され、それぞれ圧縮符号化された複数の放送素材データの中から任意の放送素材データを再生する放送素材サーバ装置に関する。
【背景技術】
【０００２】
周知のように、放送局内にあっては、例えばテレビジョン放送やラジオ放送の番組、ＣＭ（コマーシャル）、文字やデータによる番組等の放送素材データを記憶し、任意のタイミングで放送素材データを再生する番組／ＣＭ／映像・音声ファイル蓄積送出装置（以下、素材蓄積送出装置と称する）が使用されている。
【０００３】
ところで、上記素材蓄積送出装置では、放送素材データの送出を行う準備処理段階で該当放送素材データが再生可能でない場合に、送出準備異常として扱っていた。素材送出準備は、素材送出時間よりも数時間前に行なわれる場合があるが、時差再生などにおいては素材の収録や転送が素材送出時間の直前に行われる場合があり、この場合、数時間前に行われる送出準備は異常終了となってしまう。
【０００４】
なお、従来では、予め記憶されている代替素材データの再生を行なうことで、送出準備異常となることを回避する手法がある（例えば、特許文献１）。
【特許文献１】特開２００５−１２５６２号公報。
【発明の開示】
【発明が解決しようとする課題】
【０００５】
ところが、上記手法では、代替素材データの素材長が、本来再生する予定の放送素材データの再生長より短い場合に、その不足部分は黒画面出力となってしまうことになる。
【０００６】
そこで、この発明の目的は、放送素材データの再生不可能時に、代替素材データの素材長が、本来再生する予定の放送素材データの再生長より短い場合でも、黒画面情報の送出を防止し得る放送素材サーバ装置を提供することにある。
【課題を解決するための手段】
【０００７】
この発明は、上記目的を達成するために、以下のように構成される。  
放送素材信号を圧縮符号化した放送素材データを記憶すると共に、放送素材データの代替素材データを記憶する記録媒体とを備え、記録媒体から放送素材データが読み出し不能である場合に、記録媒体から代替素材データを読み出して復号処理し放送素材信号として送出する放送素材サーバ装置において、記録媒体からの放送素材データの読み出し不能時に、記録媒体に記録されている放送素材データのデータ長と、記録媒体に記録されている代替素材データのデータ長とを比較する比較手段と、この比較手段の比較結果から代替素材データのデータ長が放送素材データのデータ長に満たない場合に、放送素材データのデータ長となるまで記録媒体から代替素材データを繰り返し読み出して放送素材信号に復号処理する復号処理手段とを備えるようにしたものである。
【０００８】
この構成によれば、記録媒体に記憶された放送素材データ中に指定された放送素材データが存在しなかったり、または放送素材データが読み出せない状況にあった場合に、代わりに記録媒体に記憶された代替素材データを復号器に入力するとともに、記録媒体に記録されている放送素材データのデータ長と、記録媒体に記録されている代替素材データのデータ長とを比較し、この比較結果から代替素材データのデータ長が放送素材データのデータ長に満たない場合に、放送素材データのデータ長となるまで記録媒体から代替素材データを繰り返し読み出して復号器に入力するようにしている。
【０００９】
従って、代替素材データの素材長が、本来再生する予定の放送素材データの再生長より短い場合でも、黒画面情報の送出を回避することができる。
【００１０】
復号処理手段は、記録媒体から読み出した代替素材データを第１及び第２の系統に分配する分配器と、第１の系統に設けられる第１の復号器及び第２の系統に設けられる第２の復号器と、第１及び第２の復号器の各復号出力を選択的に導出する出力切替器と、第１の復号器から放送素材信号の素材終端部分が出力される所定時間前に、第２の復号器の復号出力を選択するように出力切替器を切替制御する切替制御器とを備えたことを特徴とする。
【００１１】
この構成によれば、復号処理手段を分配器、第１及び第２の復号器、出力切替器及び切替制御器を用いて構成することができ、これにより復号処理手段における代替素材データの復号処理を第１及び第２の復号器で並行して行なうことができ、比較的短時間で復号処理を完了することができる。
【００１２】
復号処理手段は、復号器と、記録媒体から代替素材データを読み出し、読出中に代替素材データの素材終端部分に来た場合に、この終端部分と連続するように記録媒体中の代替素材データの素材先頭部分を続けて復号器に出力する読み出し制御器とを備えたことを特徴とする。
【００１３】
この構成によれば、復号処理手段を、復号器と、読み出し制御器とを用いて構成することができ、これにより復号処理手段の回路構成の小型化を実現できる。
【００１４】
記録媒体は、互いに異なる複数の代替素材データを記録し、復号処理手段は、放送素材データのデータ長となるまで記録媒体から複数の代替素材データを交互に繰り返し読み出して放送素材信号に復号処理することを特徴とする。
【００１５】
この構成によれば、記録媒体から代替素材データを読み出すごとに、異なる代替素材データが放送されることになるため、視聴者は変化のある映像を楽しむことができる。
【発明の効果】
【００１６】
以上詳述したようにこの発明によれば、放送素材データの再生不可能時に、代替素材データの素材長が、本来再生する予定の放送素材データの再生長より短い場合でも、黒画面情報の送出を防止し得る放送素材サーバ装置を提供することができる。
【発明を実施するための最良の形態】
【００１７】
以下、この発明の実施形態について図面を参照して詳細に説明する。  
（第１の実施形態）  
図１は、この発明の第１の実施形態に係るビデオサーバの構成を示すブロック図である。
【００１８】
図１において、符号１は放送素材サーバ装置としてのビデオサーバで、互いに映像・音声から成り、テレビジョン放送番組やＣＭ（コマーシャル）のほか、天気予報、交通情報、ニュース等のデータ放送番組を構成する複数の放送素材データを蓄積し、送出するものである。
【００１９】
上記複数の放送素材データは、制御ＣＰＵ（Central Processing Unit）１１による制御の下、エンコーダ１２により圧縮符号化してＴＳ（Transport Stream）パケット（以下、放送素材データと称する）に生成されて、記憶装置１３Ａに順次記録される。この記憶装置１３Ａに記録された放送素材データは、制御ＣＰＵ１１による制御の下、デコーダ１４Ａに供給され、ここで元の映像信号及び音声信号といった放送素材信号に復号される。
【００２０】
ところで、この第１の実施形態では、記憶装置１３Ａに放送素材データの代替素材データが記憶されている。この代替素材データは、動画または静止画といった有効な画像データからなる。
【００２１】
そして、制御ＣＰＵ１１は、記憶装置１３Ａから送出すべく放送素材データが読み出し不能となった場合に、記憶装置１３Ａから代替素材データを読み出してデコーダ１４Ａに供給する。
【００２２】
ところで、図２に示すように、代替素材データの素材長が本来の放送素材データの再生長に満たない場合に、黒画面情報が送出されてしまうことになる。そこで、本第１の実施形態では、放送素材データの再生長を満たすように、代替素材データを繰り返し再生するようにしている。
【００２３】
そして、上記制御ＣＰＵ１１は、記憶装置１３Ａからの放送素材データの読み出し不能時に、記憶装置１３Ａに記録されている放送素材データの再生長と、代替素材データの素材長との比較を行い、これにより代替素材データの素材長が本来の放送素材データの再生長を満しているか否かを判定する。
【００２４】
これに対し、上記デコーダ１４Ａは、次のように構成される。図３は、その構成を示すブロック図である。
【００２５】
このデコーダ１４Ａでは、記憶装置１３Ａから読み出された代替素材データが入力され、分配器１４１によって、代替素材データが内部デコーダ１４２，１４３に導出され、復号処理される。これら内部デコーダ１４２，１４３の復号出力は出力切替器１４４によって選択的に導出され、放送素材信号として出力される。上記出力切替器１４４は、制御ＣＰＵ１１によって代替素材データの素材長単位で切替制御される。
【００２６】
すなわち、上記ビデオサーバ１において、制御ＣＰＵ１１は、記憶装置１３Ａから放送素材データの再生が不可能である場合に、本来再生すべき放送素材データの再生長と、代替素材データの素材長とを比較し、これにより代替素材データの素材長が本来の放送素材データの再生長を満しているか否かを判定する。そして、満たしていれば出力切替器１４４を内部デコーダ１４２に切り替えた状態に維持してそのまま記憶装置１３Ａから代替素材データを読み出す。
【００２７】
満たしていない場合には、記憶装置１３Ａから代替素材データを読み出し、この代替素材データを、デコーダ１４Ａに入力する。すると、デコーダ１４Ａでは、代替素材データを分配器１４１によって２系統に分配し、内部デコーダ１４２，１４３に入力する。そして、制御ＣＰＵ１１は、内部デコーダ１４２の復号出力の素材長終端で内部デコーダ１４３の復号出力に切り替えるように出力切替器１４４を切替制御する。
【００２８】
以上のように上記第１の実施形態では、記憶装置１３Ａに記憶された放送素材データ中に指定された放送素材データが存在しなかったり、または放送素材データが読み出せない状況にあった場合に、制御ＣＰＵ１１において、記憶装置１３Ａに記憶された代替素材データをデコーダ１４Ａに入力するとともに、記憶装置１３Ａに記憶されている放送素材データの再生長と、記憶装置１３Ａに記憶されている代替素材データの素材長とを比較し、この比較結果から代替素材データの素材長が放送素材データの再生長に満たない場合に、放送素材データの再生長となるまで記憶装置１３Ａから代替素材データを繰り返し読み出してデコーダ１４Ａに入力するようにしている。
【００２９】
従って、代替素材データの素材長が、本来再生する予定の放送素材データの再生長より短い場合でも、黒画面情報の送出を回避することができる。
【００３０】
また、デコーダ１４Ａを分配器１４１、内部デコーダ１４２，１４３、出力切替器１４４を用いて構成することができ、これによりデコーダ１４Ａにおける代替素材データの復号処理を内部デコーダ１４２，１４３で並行して行なうことができ、比較的短時間で復号処理を完了することができる。
【００３１】
（第２の実施形態）  
図４は、この発明の第２の実施形態として、デコーダ１４Ｂと記憶装置１３Ｂとの接続構成を示すブロック図である。
【００３２】
ここで、記憶装置１３Ｂには、制御ＣＰＵ１１の制御の下、代替素材データを読み出し、この代替素材データの素材終端部分に来た場合に、この終端部分と連続するように記憶装置１３Ｂに記憶されている次の代替素材データ素材先頭部分を続けて読み出してデコーダ１４Ｂに出力する。
【００３３】
デコーダ１４Ｂは、入力される代替素材データを復号処理し、この復号出力を放送素材信号として送出する。
【００３４】
以上のように上記第２の実施形態では、先の第１の実施形態と同様な作用効果が得られるとともに、通常のデコータ１４Ｂを用いるだけでよいので、これによりビデオサーバ１全体の回路構成の小型化を実現できる。
【００３５】
（その他の実施形態）  
この発明は、上記各実施形態に限定されるものではない。例えば第１及び第２の実施形態では、１種類の代替素材データを再生する例について説明した。しかしこれに限ることなく、記憶装置１３Ａ，１３Ｂに互いに異なる複数の代替素材データを記憶するようにしてもよい。このようにすれば、記憶装置１３Ａ，１３Ｂから代替素材データを読み出すごとに、異なる代替素材データが放送されることになるため、視聴者は変化のある映像を楽しむことができる。
【００３６】
また、放送素材データ用の記憶装置と代替素材データ用の記憶装置とを別々に設けるようにしてもよい。
【００３７】
その他、ビデオサーバ１の構成及び種類、代替素材データの繰り返し再生方法等についても、この発明の要旨を逸脱しない範囲で種々変形して実施できる。
【図面の簡単な説明】
【００３８】
【図１】この発明の第１の実施形態に係るビデオサーバの構成を示すブロック図。
【図２】同第１の実施形態において、代替素材データの素材長が本来の放送素材データの再生長に満たない場合に、代替素材データを繰り返し再生する様子を説明するために示す図。
【図３】同第１の実施形態におけるデコーダの内部構成を示すブロック図。
【図４】この発明の第２の実施形態として、記憶装置とデコーダとの接続構成を示すブロック図。
【符号の説明】
【００３９】
１…ビデオサーバ、１１…制御ＣＰＵ（Central Processing Unit）、１２…エンコーダ、１３Ａ，１３Ｂ…記憶装置、１４Ａ，１４Ｂ…デコーダ、１４１…分配器、１４２，１４３…内部デコーダ、１４４…出力切替器。
【図１】
2007281681.tif 000003
【図２】
2007281681.tif 000004
【図３】
2007281681.tif 000005
【図４】
2007281681.tif 000006